(57)【要約】【課題】  外筒の側面の開口窓から露出する操作スイッチを押しながら、芯タンクを外筒の軸線方向に移動させるシャープペンシルにおいて、芯タンクを軸線方向にスライドさせる際の抵抗を小さくすることができるシャープペンシルを提供する。【解決手段】  本発明のシャープペンシルは、芯タンク５が貫通する貫通穴１８ｂを有すると共に、外筒１の内部に取り付けられる案内部材１８と、外筒１の側面の開口部１４から露出し、シャープペンシル３を持った状態で親指又は人差指で操作可能な操作部１５を有すると共に、芯タンク５に連結される連結部１６を有する芯タンク移動部材２０と、を備える。芯タンク移動部材２０の連結部１６は、案内部材１８に対して芯タンク５の軸線方向に位置を異ならせて、且つ案内部材１８よりも先具２側に配置され、操作部１５を用いて芯タンク５を外筒１に対してスライドさせることによって、先具２から芯を繰り出す。【選択図】  図１
2006021518.tif 000002
【特許請求の範囲】
【請求項１】
芯をクランプできるチャックが先端に取り付けられる芯タンクを、外筒に対して芯タンクの軸線方向にスライドさせることによって、前記外筒の先端に取り付けられる先具から芯を繰り出すシャープペンシルにおいて、
前記芯タンクが貫通する貫通穴を有すると共に、前記外筒の内部に取り付けられる案内部材と、
前記外筒の側面の開口部から露出し、シャープペンシルを持った状態で親指又は人差指で操作可能な操作部を有すると共に、前記芯タンクに連結される連結部を有する芯タンク移動部材と、を備え、
前記芯タンク移動部材の前記連結部は、前記案内部材に対して前記芯タンクの軸線方向に位置を異ならせて、且つ前記案内部材よりも前記先具側に配置され、
前記操作部を用いて前記芯タンクを前記外筒に対してスライドさせることによって、前記先具から芯を繰り出すことを特徴とするシャープペンシル。
【請求項２】
前記案内部材には、前記芯タンク移動部材が前記案内部材に対してスライドするのを案内する案内部が形成されることを特徴とする請求項１に記載のシャープペンシル。
【請求項３】
前記案内部材は、前記貫通穴が形成される本体部と、前記本体部から突出する断面略円弧形状の可撓部とを有し、
前記案内部材を前記外筒に取り付けることができるように、前記案内部材の前記可撓部及び前記外筒の一方には、係合凸部が形成され、前記案内部材の前記可撓部及び前記外筒の他方には、前記係合凸部に嵌り合う係合凹部が形成されることを特徴とする請求項２に記載のシャープペンシル。
【請求項４】
前記芯タンク移動部材は、前記案内部に嵌まるように、前記連結部から芯タンクの軸線方向に突出する被案内部を有し、
前記被案内部を前記連結部に取り付けることにより、底に向かって穴径が広がるような段差を有する操作スイッチ取付け穴が形成され、
前記操作部には、前記段差に係合するフック片が形成されることを特徴とする請求項２又は３に記載のシャープペンシル。
【請求項５】
ボールペンリフィールを外筒に対してボールペンリフィールの軸線方向にスライドさせることによって、前記外筒の先端に取り付けられる先具からボールペンリフィールの先端を出すボールペンにおいて、
前記ボールペンリフィールが貫通する貫通穴を有すると共に、前記外筒の内部に取り付けられる案内部材と、
前記外筒の側面の開口部から露出し、ボールペンを持った状態で親指又は人差指で操作可能な操作部を有すると共に、前記ボールペンリフィールに連結される連結部を有するボールペンリフィール移動部材と、を備え、
前記ボールペンリフィール移動部材の前記連結部は、前記案内部材に対して前記ボールペンリフィールの軸線方向に位置を異ならせて、且つ前記案内部材よりも前記先具側に配置され、
前記操作部を用いて前記ボールペンリフィールを前記外筒に対してスライドさせることによって、前記先具からボールペンリフィールの先端を繰り出すことを特徴とするボールペン。
【請求項６】
芯をクランプできるチャックが先端に取り付けられる芯タンクを有し、外筒の先端に取り付けられる先具から芯を繰り出す一対のシャープペンシルの組合せ、
又は、ボールペンリフィールを外筒に対してボールペンリフィールの軸線方向にスライ
ドさせることによって、前記外筒の先端に取り付けられる先具からボールペンリフィールの先端を出す一対のボールペンの組合せ、
又は、芯をクランプできるチャックが先端に取り付けられる芯タンクを有し、外筒の先端に取り付けられる先具から芯を繰り出すシャープペンシルと、ボールペンリフィールを外筒に対してボールペンリフィールの軸線方向にスライドさせることによって、前記外筒の先端に取り付けられる先具からボールペンリフィールの先端を繰り出すボールペンとの組合せを、
前記一対のシャープペンシルの先具、又は前記一対のボールペンの先具、又は前記シャープペンシル及び前記ボールペンの先具が、筆記具の両端に配置されるように、前記一対のシャープペンシルの外筒、又は前記一対のボールペンの外筒、又は前記シャープペンシルの外筒及び前記ボールペンの外筒を連結具で連結する筆記具において、
前記一対のシャープペンシルの芯タンクの先端部、又は前記一対のボールペンのボールペンリフィールの先端部、又は前記シャープペンシルの芯タンクの先端部と前記ボールペンのボールペンリフィールの先端部とを、互いの軸線が略一致するように配置し、
前記一対のシャープペンシルの芯タンク同士、又は前記一対のボールペンのボールペンリフィール同士、又は前記シャープペンシルの芯タンクと前記ボールペンのボールペンとを、筆記具の軸線方向の長さを短くできるように軸線方向に互いに重ね合わせ、
前記シャープペンシルの芯タンクの後端部近傍、又は前記ボールペンリフィールの後端部近傍の前記外筒を膨らませることを特徴とする筆記具。
【請求項７】
前記シャープペンシルは、
前記芯タンクが貫通する貫通穴を有すると共に、前記外筒の内部に取り付けられる案内部材と、
前記外筒の開口部から露出し、シャープペンシルを持った状態で親指又は人差指で操作可能な操作部を有すると共に、前記芯タンクに連結される連結部を有する芯タンク移動部材と、を備え、
前記芯タンク移動部材の前記連結部は、前記案内部材に対して前記芯タンクの軸線方向に位置を異ならせて、且つ前記案内部材よりも前記先具側に配置され、
前記操作部を前記外筒に対してスライドさせることによって、前記外筒の先端に取り付けられる前記先具から芯を繰り出し、
前記ボールペンは、
前記ボールペンリフィールが貫通する貫通穴を有すると共に、前記外筒の内部に取り付けられる案内部材と、
前記外筒の開口部から露出し、ボールペンを持った状態で親指又は人差指で操作可能な操作部を有すると共に、前記芯タンクに連結される連結部を有するボールペンリフィール移動部材と、を備え、
前記ボールペンリフィール移動部材の前記連結部は、前記案内部材に対して前記ボールペンリフィールの軸線方向に位置を異ならせて、且つ前記案内部材よりも前記先具側に配置され、
前記操作部を前記外筒に対してスライドさせることによって、前記先具からボールペンリフィールの先端を出すことを特徴とする請求項６に記載の筆記具。
【請求項８】
ケースに開けられた開口部内に格納される格納状態と、前記開口部から突出する突出状態とに形状が変化できる操作スイッチであって、
ベースと、
ベース側の一辺を軸として前記ベースに対して回転可能な第１の側面部と、
前記第１の側面部のベース側の一辺に対向する他の辺を軸として、前記第１の側面部に対して回転可能である第２の側面部と、
前記第１の側面部及び前記第２の側面部の少なくとも一方に設けられ、前記開口部の縁に係合するフックと、を備え、
前記第２の側面部は、そのベース側の一辺が前記ベースに対して移動可能であり、
前記フックと前記開口部の縁の係合が解除されたとき、前記ベース、前記第１の側面部及び前記第２の側面部によって形成される立体の側面形状が三角形状になり、
前記フックと前記開口部の縁が係合したとき、前記第１の側面部と前記第２の側面部とが略一平面上に配置されることを特徴とする操作スイッチ。
【請求項９】
前記フックと前記開口部の縁が係合したとき、弾性変形して、前記第１の側面部と前記第２の側面部とが略一平面上に配置されるのを許容する一方、
前記フックと前記開口部の縁の係合が解除されたとき、復元して、前記ベース、前記第１の側面部及び前記第２の側面部によって形成される立体の側面形状を三角形状にする弾性部材を設けたことを特徴とする請求項８に記載の操作スイッチ。
【請求項１０】
前記第１の側面部の外側に密着する第１の覆い部と、前記第２の側面部の外側に密着する第２の覆い部と、前記第１の覆い部の幅方向の一端の辺と前記第２の覆い部の幅方向の一端の辺とを連結する第１の連結部と、前記第１の覆い部の幅方向の他端の辺と前記第２の覆い部の幅方向の他端の辺とを連結する第２の連結部と、を有する弾性キャップを設け、
弾性キャップは、前記フックと前記開口部の縁が係合したとき、弾性変形して、前記第１の側面部と前記第２の側面部とが略一平面上に配置されるのを許容する一方、
前記フックと前記開口部の縁の係合が解除されたとき、復元して、前記ベース、前記第１の側面部及び前記第２の側面部によって形成される立体の側面形状を三角形状にすることを特徴とする請求項８に記載の操作スイッチ。
【請求項１１】
前記ケースの開口部の縁には切り欠きが設けられ、
前記操作スイッチを前記ケースに対して後端位置から前端位置までスライドさせて、前記フックを前記切り欠きの位置まで移動させると、前記フックと前記開口部の縁との係合が解除されて前記操作スイッチの形状が格納状態から突出状態に変化し、
ばねによって再び後端位置まで戻された突出状態の前記操作スイッチを押すことで、前記フックと前記開口部の縁とが係合して前記操作スイッチの形状が突出状態から格納状態に変化することを特徴とする請求項８ないし１０に記載の操作スイッチ。
【請求項１２】
前記第１及び前記第２の側面部の幅方向の一端の辺及び他端の辺には、前記第１及び前記第２の側面部が前記ベース側の一辺からこのベース側の一辺に対向する他の辺に向かって幅が狭くなるように、段差が形成され、
前記弾性キャップの前記第１及び前記第２の連結部にも、前記第１及び前記第２の側面部の幅方向の一端の辺及び他端の辺の前記段差に対応する連結部段差が形成されることを特徴とする請求項１０又は１１に記載の操作スイッチ。
【発明の詳細な説明】
【技術分野】
【０００１】
本発明は、シャープペンシル、ボールペン及びこれらを組み合わせた筆記具に関する。
【背景技術】
【０００２】
芯をクランプできるチャックが先端に取り付けられる芯タンクを、外筒に対して芯タンクの軸線方向にスライドさせることによって、外筒の先端に取り付けられる先具から芯を繰り出すシャープペンシルが知られている。
【０００３】
外筒に対して芯タンクをスライドさせる方法としては、芯タンクの後端に外筒から突出するノックを設け、親指でノックを操作することによって芯タンクをスライドさせる方法や、シャープペンシルを振ることによって芯タンクに重量体を作用させ、これにより芯タンクをスライドさせる方法が知られている。
【０００４】
芯タンクの後端に外筒から突出するノックを設け、親指でノックを操作する所謂ノック式のシャープペンシルにあっては、芯を繰り出す度にシャープペンシルを持ち替える不便さがある。シャープペンシルを持った状態で、親指又は人差指で操作して芯を繰り出すことができれば便利である。外筒の後端から突出するノックを設ける代わりに、外筒の側面の開口窓から操作スイッチを露出させたシャープペンシルも知られている。
【０００５】
例えば特許文献１には、外筒の側面に重量体を露出させる開口部を形成し、この開口部から重量体を親指又は人差指で操作できるようにしたシャープペンシルが開示されている。
【特許文献１】特開２０００−３１８３７３号公報
【発明の開示】
【発明が解決しようとする課題】
【０００６】
外筒の側面の開口窓から操作スイッチを露出させたタイプのシャープペンシルにあっては、開口窓から露出する操作スイッチを押しながら、芯タンクを外筒の軸線方向にスライドさせることになる。しかし、この操作スイッチを押す力が、芯タンクを軸線方向にスライドさせる際の抵抗になり、摩擦力を増大させるという問題を発生させる。
この問題は、外筒の側面の開口窓から操作スイッチを露出させたボールペンにおいても同様である。
【０００７】
そこで本発明は、外筒の側面の開口窓から露出する操作スイッチを押しながら、芯タンク又はボールペンリフィールを外筒の軸線方向に移動させる筆記具において、芯タンク又はボールペンリフィールを軸線方向にスライドさせる際の抵抗を小さくすることができる筆記具を提供することを目的とする。
【０００８】
また本発明の他の目的は、外筒の側面の開口窓から露出する操作スイッチを設けた場合であっても、筆記中に操作スイッチが邪魔にならなく、また芯を繰り出す際に操作し易い操作スイッチを提供することを目的とする。
【０００９】
ところで、一本のシャープペンシルともう一本のシャープペンシルとを、両方のシャープペンシルの芯が同軸になるように連結具で接続した二機能一体化シャープペンシルが開示されている（特許文献２参照）。しかし、シャープペンシルの芯タンクには、補助の芯を入れるための長さが必要になり、単純に二本のシャープペンシルを組み合わせただけでは、シャープペンシルの軸線方向の長さが長くなってしまう。
【００１０】
そこで本発明の他の目的は、二本のシャープペンシル又はボールペンを組み合わせた筆記具であっても、筆記具の軸線方向の長さを短くすることができる筆記具を提供することを目的とする。
【特許文献２】実開平１−１６５２９５号公報
【課題を解決するための手段】
【００１１】
以下本発明について説明する。本発明の理解を容易にするために添付図面の参照番号を括弧書きにて付記するが、それにより本発明が図示の形態に限定されるものでない。
【００１２】
上記課題を解決するために、請求項１の発明は、芯をクランプできるチャック（６）が先端に取り付けられる芯タンク（５）を、外筒（１）に対して芯タンク（５）の軸線方向にスライドさせることによって、前記外筒（１）の先端に取り付けられる先具（２）から芯を繰り出すシャープペンシル（３）において、前記芯タンク（５）が貫通する貫通穴（１８ｂ）を有すると共に、前記外筒（１）の内部に取り付けられる案内部材（１８）と、前記外筒（１）の側面の開口部（１４）から露出し、シャープペンシル（３）を持った状態で親指又は人差指で操作可能な操作部（１５）を有すると共に、前記芯タンク（５）に連結される連結部（１６）を有する芯タンク移動部材（２０）と、を備え、前記芯タンク移動部材（２０）の前記連結部（１６）は、前記案内部材（１８）に対して前記芯タンク（５）の軸線方向に位置を異ならせて、且つ前記案内部材（１８）よりも前記先具（２）側に配置され、前記操作部（１５）を用いて前記芯タンク（５）を前記外筒（１）に対してスライドさせることによって、前記先具（２）から芯を繰り出すことを特徴とする。
【００１３】
請求項２の発明は、請求項１に記載のシャープペンシルにおいて、前記案内部材（１８）には、前記芯タンク移動部材（５）が前記案内部材（１８）に対してスライドするのを案内する案内部（１８ａ，１８ｅ）が形成されることを特徴とする。
【００１４】
請求項３の発明は、請求項２に記載のシャープペンシル（３）において、前記案内部材（１８）は、前記貫通穴（１８ｂ）が形成される本体部（１８ｃ）と、前記本体部（１８ｃ）から突出する断面略円弧形状の可撓部（１８ｄ）とを有し、前記案内部材（１８）を前記外筒（１）に取り付けることができるように、前記案内部材（１８）の前記可撓部（１８ｄ）及び前記外筒（１）の一方には、係合凸部（１９）が形成され、前記案内部材（１８）の前記可撓部（１８ｄ）及び前記外筒（１）の他方には、前記係合凸部（１９）に嵌り合う係合凹部が形成されることを特徴とする。
【００１５】
請求項４の発明は、請求項２又は３に記載のシャープペンシルにおいて、前記芯タンク移動部材（２０）は、前記案内部（１８ａ，１８ｅ）に嵌まるように、前記連結部（１６）から芯タンクの軸線方向に突出する被案内部（１７）を有し、前記被案内部（１７）を前記連結部（１６）に取り付けることにより、底に向かって穴径が広がるような段差を有する操作スイッチ取付け穴（２１）が形成され、前記操作部（１５）には、前記段差に係合するフック片（１５ｂ）が形成されることを特徴とする。
【００１６】
請求項５の発明は、ボールペンリフィール（３３）を外筒（３１）に対してボールペンリフィール（３３）の軸線方向にスライドさせることによって、前記外筒（１）の先端に取り付けられる先具（３２）からボールペンリフィール（３３）の先端を出すボールペンにおいて、前記ボールペンリフィール（３３）が貫通する貫通穴（１８ｂ）を有すると共に、前記外筒（３１）の内部に取り付けられる案内部材（１８）と、前記外筒（３１）の側面の開口部から露出し、ボールペンを持った状態で親指又は人差指で操作可能な操作部（１５）を有すると共に、前記ボールペンリフィール（３３）に連結される連結部（１６）を有するボールペンリフィール移動部材（１５，１６，１７）と、を備え、前記ボール
ペンリフィール移動部材（１５，１６，１７）の前記連結部（１６）は、前記案内部材（１８）に対して前記ボールペンリフィール（３３）の軸線方向に位置を異ならせて、且つ前記案内部材（１８）よりも前記先具（３２）側に配置され、前記操作部（１５）を用いて前記ボールペンリフィール（３３）を前記外筒（３１）に対してスライドさせることによって、前記先具（３２）からボールペンリフィール（３３）の先端を繰り出すことを特徴とする。
【００１７】
請求項６の発明は、芯をクランプできるチャックが先端に取り付けられる芯タンク（５）を有し、外筒（４４）の先端に取り付けられる先具（４３）から芯を繰り出す一対のシャープペンシル（４１）の組合せ、又は、ボールペンリフィールを外筒に対してボールペンリフィールの軸線方向にスライドさせることによって、前記外筒の先端に取り付けられる先具からボールペンリフィールの先端を出す一対のボールペンの組合せ、又は、芯をクランプできるチャックが先端に取り付けられる芯タンクを有し、外筒の先端に取り付けられる先具から芯を繰り出すシャープペンシルと、ボールペンリフィールを外筒に対してボールペンリフィールの軸線方向にスライドさせることによって、前記外筒の先端に取り付けられる先具からボールペンリフィールの先端を繰り出すボールペンとの組合せを、前記一対のシャープペンシル（４１）の先具（４３）、又は前記一対のボールペンの先具、又は前記シャープペンシル及び前記ボールペンの先具が、筆記具の両端に配置されるように、前記一対のシャープペンシルの外筒（４４）、又は前記一対のボールペンの外筒、又は前記シャープペンシルの外筒及び前記ボールペンの外筒を連結具（４２）で連結する筆記具において、前記一対のシャープペンシル（４１）の芯タンク（５）の先端部、又は前記一対のボールペンのボールペンリフィールの先端部、又は前記シャープペンシルの芯タンクの先端部と前記ボールペンのボールペンリフィールの先端部とを、互いの軸線が略一致するように配置し、前記一対のシャープペンシル（４１）の芯タンク（５）同士、又は前記一対のボールペンのボールペンリフィール同士、又は前記シャープペンシルの芯タンクと前記ボールペンのボールペンとを、筆記具の軸線方向の長さを短くできるように軸線方向に互いに重ね合わせ、前記シャープペンシル（４１）の芯タンク（５）の後端部近傍、又は前記ボールペンリフィールの後端部近傍の前記外筒（４４）を膨らませることを特徴とする筆記具により、上述した課題を解決する。
【００１８】
請求項７の発明は、請求項６に記載の筆記具において、前記シャープペンシルは、前記芯タンク（１５）が貫通する貫通穴（１８ｂ）を有すると共に、前記外筒（４４）の内部に取り付けられる案内部材（１８）と、前記外筒（４４）の開口部から露出し、シャープペンシルを持った状態で親指又は人差指で操作可能な操作部（１５）を有すると共に、前記芯タンク（１５）に連結される連結部（１６）を有する芯タンク移動部材（１５，１６）と、を備え、前記芯タンク移動部材（１５，１６）の前記連結部（１６）は、前記案内部材（１８）に対して前記芯タンク（１５）の軸線方向に位置を異ならせて、且つ前記案内部材（１８）よりも前記先具（４３）側に配置され、前記操作部（１５）を前記外筒（４４）に対してスライドさせることによって、前記外筒（４４）の先端に取り付けられる前記先具（４３）から芯を繰り出し、前記ボールペンは、前記ボールペンリフィールが貫通する貫通穴を有すると共に、前記外筒の内部に取り付けられる案内部材と、前記外筒の開口部から露出し、ボールペンを持った状態で親指又は人差指で操作可能な操作部を有すると共に、前記芯タンクに連結される連結部を有するボールペンリフィール移動部材と、を備え、前記ボールペンリフィール移動部材の前記連結部は、前記案内部材に対して前記ボールペンリフィールの軸線方向に位置を異ならせて、且つ前記案内部材よりも前記先具側に配置され、前記操作部を前記外筒に対してスライドさせることによって、前記先具からボールペンリフィールの先端を出すことを特徴とする。
【００１９】
請求項８の発明は、ケース（１）に開けられた開口部（１４）内に格納される格納状態と、前記開口部（１４）から突出する突出状態とに形状が変化できる操作スイッチ（６１
，８１，１０１）であって、ベース（６５）と、ベース側の一辺（６６ａ）を軸として前記ベース（６５）に対して回転可能な第１の側面部（６６）と、前記第１の側面部（６６）のベース側の一辺（６６ａ）に対向する他の辺（６６ｂ）を軸として、前記第１の側面部（６６）に対して回転可能である第２の側面部（６７）と、前記第１の側面部（６６）及び前記第２の側面部（６７）の少なくとも一方に設けられ、前記開口部（１４）の縁に係合するフック（７１）と、を備え、前記第２の側面部（６７）は、ベース側の一辺（６７ａ）が前記ベース（６５）に対してスライド可能であり、前記フック（７１）と前記開口部（１４）の縁の係合が解除されたとき、前記ベース（６５）、前記第１の側面部（６６）及び前記第２の側面部（６７）によって形成される立体の側面形状が三角形状になり、前記フック（７１）と前記開口部（１４）の縁が係合したとき、前記第１の側面部（６６）と前記第２の側面部（６７）とが略一平面上に配置されることを特徴とする。
【００２０】
請求項９の発明は、請求項８に記載の操作スイッチにおいて、前記フック（７１）と前記開口部（１４）の縁が係合したとき、弾性変形して、前記第１の側面部（６６）と前記第２の側面部（６７）とが略一平面上に配置されるのを許容する一方、前記フック（７１）と前記開口部（１４）の縁の係合が解除されたとき、復元して、前記ベース（６５）、前記第１の側面部（６６）及び前記第２の側面部（６７）によって形成される立体の側面形状を三角形状にする弾性部材（７２，９１，１４６）を設けたことを特徴とする。
【００２１】
請求項１０の発明は、請求項８に記載の操作スイッチにおいて、前記第１の側面部（６６）の外側に密着する第１の覆い部（７３）と、前記第２の側面部（６７）の外側に密着する第２の覆い部（７４）と、前記第１の覆い部（７３）の幅方向の一端の辺（７３ａ）と前記第２の覆い部（７４）の幅方向の一端の辺（７４ａ）とを連結する第１の連結部（７５）と、前記第１の覆い部（７３）の幅方向の他端の辺（７３ｂ）と前記第２の覆い部（７４）の幅方向の他端の辺（７４ｂ）とを連結する第２の連結部（７６）と、を有する弾性キャップ（７２，９１）を設け、弾性キャップ（７２，９１）は、前記フック（７１）と前記開口部（１４）の縁が係合したとき、弾性変形して、前記第１の側面部（６６）と前記第２の側面部（６７）とが略一平面上に配置されるのを許容する一方、前記フック（７１）と前記開口部（１４）の縁の係合が解除されたとき、復元して、前記ベース（６５）、前記第１の側面部（６６）及び前記第２の側面部（６７）によって形成される立体の側面形状を三角形状にすることを特徴とする。
【００２２】
請求項１１の発明は、請求項８ないし１０又は９に記載の操作スイッチにおいて、前記ケース（１）の開口部（１４）の縁には切り欠き（６２，７９）が設けられ、前記操作スイッチ（６１）を前記ケース（１）に対して後端位置から前端位置までスライドさせて、前記フック（７１）を切り欠き（６２，７９）の位置まで移動させると前記フック（７１）と前記開口部（１４）の縁との係合が解除されて前記操作スイッチ（６１）の形状が格納状態から突出状態に変化し、ばね（９）によって再び後端位置まで戻された突出状態の前記操作スイッチ（６１）を押すことで、前記フック（７１）と前記開口部（１４）の縁とが係合して前記操作スイッチ（６１）の形状が突出状態から格納状態に変化することを特徴とする。
【００２３】
請求項１２の発明は、請求項１０又は１１に記載の操作スイッチにおいて、前記第１及び前記第２の側面部（８３，８４）の幅方向の一端の辺（８３ａ，８４ａ）及び他端の辺（８３ｂ，８４ｂ）には、前記第１及び前記第２の側面部（８３，８４）が前記ベース側の一辺（８３ｃ）からこのベース側の一辺（８３ｃ）に対向する他の辺（８３ｄ，８４ｄ）に向かって幅が狭くなるように、段差（８６）が形成され、前記弾性キャップ（９１）の前記第１及び前記第２の連結部（９２）にも、前記第１及び前記第２の側面部（８３，８４）の幅方向の一端の辺（８３ａ，８４ａ）及び他端の辺（８３ｂ，８４ｂ）の前記段差（８６）に対応する連結部段差（９３）が形成されることを特徴とする。
【発明の効果】
【００２４】
請求項１の発明によれば、操作部を押す力が、連結部を介して芯タンクに伝わって前側のチャック近傍と後ろ側の案内部材とに分散される。このため、芯タンクを軸線方向にスライドさせる際の抵抗を小さくすることができ、軽い力で芯タンクを軸線方向に移動させることができる。また、仮に操作部を強い力で押しても、芯タンクが僅かに撓むので、強い力を逃がすことができ、強い力がそのまま案内部材に伝わることもない。
【００２５】
請求項２の発明によれば、操作部をスライドさせるときに、操作部がぶれたり、凹んだりすることがない。
【００２６】
請求項３の発明によれば、案内部材の可撓部を内側に撓ませることで、外筒に案内部材を容易に挿入することができる。また可撓部が復元すると、係合凸部が係合凹部に嵌り合うので、案内部材を外筒に固定することができる。
【００２７】
請求項４の発明によれば、操作部を外筒の開口窓を通して操作スイッチ取り付け穴に取り付けることができる。また中間プレートと本体とを分離することで、操作スイッチ取り付け穴を容易に製作することができる。
【００２８】
本発明は請求項５に記載の発明のように、ボールペンにも適用することができ、したがってボールペンリフィールを軸線方向にスライドさせる際の抵抗を小さくすることができる。
【００２９】
請求項６の発明によれば、筆記具の全長を短くすることができる。また外筒が一部膨らんでいるで、持ち易い筆記具が得られる。
【００３０】
請求項７の発明によれば、案内部材から先具先端まで（筆記具両側の芯タンク等の中心線を一致させている部分）の長さを短くすることができ、芯タンク同士等を軸線方向に重ね易くなる。
【００３１】
請求項８の発明によれば、ケースに開けられた開口部内に格納された格納状態と、前記開口部から突出した突出状態とに形状が変化できる操作スイッチが得られる。また操作スイッチを少ない操作で、格納状態と突出状態とに変化させることができる。
【００３２】
請求項９の発明によれば、弾性部材の弾性変形及び復元を利用して、操作スイッチを格納状態と突出状態とに変化させることができる。
【００３３】
請求項１０の発明によれば、弾性キャップの弾性変形及び復元を利用して、操作スイッチを格納状態と突出状態とに変化させることができる。
【００３４】
請求項１１の発明によれば、操作スイッチをケースに対してスライドさせるだけで、操作スイッチを格納状態から突出状態にすることができる。また突出状態の操作スイッチを人手で押すだけで格納状態にすることができる。
【００３５】
請求項１２の発明によれば、操作スイッチが格納状態になる際、弾性キャップの第１及び第２の連結部の段差部分が、折り返される。このため、操作スイッチを格納状態にしても、弾性キャップがだぶつくことがない。
【発明を実施するための最良の形態】
【００３６】
以下図１乃至図６に基づいて、本発明のシャープペンシルの実施形態を説明する。
【００３７】
図１に示されるように、外筒１及び外筒１の先端部に着脱可能に螺合した先具２を備えるシャープペンシル３の内部には、芯４を収容するパイプ状の芯タンク５が設けられている。芯タンク５の先端には芯４をクランプできるチャック６が取り付けられる。芯タンク５を外筒１に対して芯タンク５の軸線方向に移動させることで、先具２から芯を繰り出す。
【００３８】
シャープペンシル３の前端側には、芯を繰り出す芯繰り出し機構１２と、芯タンク５を軸線方向にスライドさせるスライド機構１３とが設けられる。まず芯繰り出し機構１２について説明する。
【００３９】
芯繰り出し機構１２には従来から様々な機構が用いられており、ここではその一例を説明する。勿論、芯タンクをスライドさせることで芯を繰り出すことができれば、この一例に限定されるものではない。
【００４０】
チャック６は、その前端から後方に向かって伸びる複数の、例えば３つのスリットにより、弾性力を有する３つのチャック片を有している。このチャック６は、その外周が前端から後方に向かって徐々に外形が狭められるテーパーに形成される。チャックが締めリングに嵌め入れられる際は、強い締め付け力が生じ、この力でチャックが芯をクランプする。
【００４１】
チャック６よりも後方には、鍔部７が形成される。外筒１と先具２との間に挟まれるばね受け座８と鍔部７との間に、芯タンク５及びチャック６を後方に付勢するためのばね９が介装される。締めリング１０は、チャック６の外周に嵌合すると共に、ばね受け座８と先具２との間に形成された溝内で前後移動可能になっている。
【００４２】
芯タンク５と共にチャック６をばね９の力に抗して前進させると、締めリング１０が溝の前端に当接するまでは、締めリング１０がチャック６を締め付けたまま一緒に前進する。このためチャック６は芯をクランプしたまま前進する。そして、締めリング１０が溝の前端に到達した後、チャック６をさらに前進させると、チャック６が締めリング１０から開放される。このためチャック片がその弾性力によって拡開し、芯に対するクランプ力が解除される。その後、芯タンク５をばね９の力で後方に移動させると、チャック６は芯を開放した前端位置から後退を始める。締めリング１０が溝の後端に当接するまでは締めリング１０がチャック６と一緒に後退するので、チャック６が芯を開放した前端位置から開放状態のまま一定距離だけ後退する。したがって、芯４はチャック６により前方に繰り出された位置に残される。そして、締めリング１０がばね受け座８に当接すると、チャック６はばね９の力で締めリング１０に嵌められる。このとき、締めリング１０がチャック６を締め付けるので、チャック６が芯４を強い力でクランプする。
【００４３】
上述のチャック６の前後移動及びクランプ及びクランプ解除動作を利用して芯４を先具２の先端からほぼ一定量ずつ繰り出すことができる。
【００４４】
次に芯タンク５を軸線方向に移動させるためのスライド機構１３について説明する。図２は外筒１の内部に組み込まれたスライド機構１３の斜視図を示し、図３はスライド機構１３の分解斜視図を示す。外筒１の先端部に形成された開口部１４（開口窓）から露出する操作部としての操作スイッチ１５を外筒１の軸線方向に移動させて、芯タンク５を軸線方向にスライドさせる。芯タンク５のスライドは、連結部１６の後側に配置され、外筒１の内部に固定された案内部材１８で案内される。
【００４５】
芯タンク５を移動させる芯タンク移動部材２０は、芯タンク５に連結・結合される連結
部１６と、シャープペンシルを持った状態で親指又は人差指で操作可能な位置に配置される操作スイッチ１５と、連結部１６と操作スイッチ１５との間に介在される被案内部としての中間プレート１７とを、一体に組み合わせて構成される。
【００４６】
連結部１６は、略円筒状に形成され、芯タンク５に結合される。連結部１６と芯タンク５との結合には、接着、一体成型、凹凸を用いた機械的な結合等様々な方法が用いられる。連結部１６の側面には中間プレート１７の幅方向両端に設けられた一対のフック片１７ａに係合する凹み１６ａが形成される（図６参照）。連結部１６の上部には、操作スイッチ取付け穴の下段側穴１６ｂが形成される。
【００４７】
なおこの実施形態では、連結部１６は芯タンク５に結合されているが、連結部１６が前方向に移動するのに伴って芯タンク５を前方向に移動させることができれば、連結部１６は芯タンクに固定されていなくてもよい。例えば芯タンク５の外周に鍔を設け、この鍔と連結部１６とが当接するようにしてもよい。
【００４８】
図４は中間プレート１７の斜視図を示す。中間プレート１７は、連結部の外形形状に形状を合わせた断面円弧状の本体プレート１７ｂの幅方向両端に、一対のフック片１７ａを突出させてなる。本体プレート１７ｂの中央部には、操作スイッチ取付け穴の上段側穴１７ｃが形成される。中間プレート１７を連結部１６に取り付けることにより、底に向かって穴径が広がるような段差を有する操作スイッチ取付け穴２１が形成される（図６参照）。また、中間プレート１７を連結部に取り付けると、中間プレート１７の後方側は連結部１６から芯タンク５の軸線方向後方に突出する（図２参照）。この中間プレート１７の突出した部分が、後述する案内部材１８に形成された案内溝１８ａに嵌まり合う。なお、これら連結部１６及び中間プレート１７は樹脂成型等により一体に成型されてもよい。
【００４９】
図５は操作スイッチの斜視図を示す。外筒１の側面の開口部１４から露出する操作スイッチ１５は、指で操作し易いように山形に形成された操作スイッチ本体１５ａと、操作スイッチ本体１５ａの下面側から突出する一対のフック片１５ｂを有する。図６に示されるように、フック片１５ｂを操作スイッチ取付け穴２１の段差に係合させて、操作スイッチ１５を連結部１６及び中間プレート１７に固定する。
【００５０】
ところで、この実施形態のように操作スイッチ１５が手元にあるとシャープペンシルを持ち難くする。このため操作スイッチを、筆記中は格納され、芯を繰り出すときに突出するような構造にしてもよい。この構造の操作スイッチについては後述する。
【００５１】
図１に示されるように、外筒１の内部には、芯タンク５が貫通する貫通穴１８ｂを有する案内部材１８が取り付けられる。案内部材１８はその貫通穴１８ｂで芯タンク５が軸線方向にスライドするのを案内する。
【００５２】
図３に示されるように、案内部材１８は、貫通穴１８ｂが形成される略筒状の本体部１８ｃと、筒状の本体部１８ｃの端面から軸線方向に突出する断面略円弧形状の可撓部１８ｄとを有する。中間プレート１７を案内できるように、本体部には中間プレート１７が嵌り合う案内溝１８ａが形成され、可撓部１８ｄには中間プレート１７が嵌り合う切り欠き１８ｅが形成される。
【００５３】
また、案内部材１８を外筒１に取り付けることができるように、案内部材１８の可撓部１８ｄには、外筒１の先端に向かって尖った三角形状に形成される係合凸部１９が形成され、外筒には係合凸部１９に嵌り合う係合凹部が形成される。可撓部１８ｄは切り欠き１８ｅによって断面円弧形状に形成されるので、切り欠き１８ｅがない円筒形状に比べ、容易に内側に撓む。このため、案内部材１８を外筒１内に挿入する作業が容易になる。また
係合凸部１９は先端に向かって尖った三角形に形成されるので、一旦外筒１の係合凹部に嵌まった係合凸部１９が後方に戻ることもない。
【００５４】
図１に示されるように、芯タンク５に連結される連結部１６は、ばね９によって後方に付勢され、案内部材１８の先端側の端面に密着している。すなわち案内部材１８は連結部１６のストッパとしても機能する。そして、連結部１６は、案内部材１８に対して芯タンク５の軸線方向に位置を異ならせて、且つ案内部材１８よりも先具２側に配置される。
【００５５】
芯タンク５を軸線方向の前方にスライドさせるときは、操作スイッチ１５を押しながら操作スイッチ１５を前方に移動させる。このとき、操作スイッチ１５を押す力は、連結部１６を介して芯タンク５に伝わり、芯タンク５から前側のチャック６の部分と後ろ側の案内部材１８とに分散される。チャック６の部分では、金属製のばね受け座８及び締めリング１０の中を金属製のチャック６が通っている。この滑りのよい部分が前方の支えになっている。また後方も案内部材１８で支えられている。このため、芯タンク５を軸線方向にスライドさせる際の抵抗を小さくすることができ、軽い力で芯タンク５を軸線方向に移動させることができる。また、操作スイッチ１５を強い力で押したとしても、芯タンク５が撓むので押した力を逃がすことができ、押した力がそのまま案内部材１８に伝わることもない。さらに、中間プレート１７は、案内部材１８の案内溝１８ａ及び切り欠き１８ｅに嵌り合っているので、操作スイッチ１５をスライドさせるときに、操作スイッチ１５がぶれたり、凹んだりすることもない。
【００５６】
このスライド機構１３の組み立て方法について説明する。まず案内部材１８を、可撓部１８ｄを前方にして外筒１の後端から外筒１の中に入れ、可撓部１８ｄの係合凸部１９が外筒１の係合凹部に嵌まるまで前進させる。次に、芯タンク５の連結部１６に中間プレート１７を取付け、外筒１の先端から案内部材１８の貫通穴１８ｂを通過させつつ芯タンク５を外筒１内に挿入する。そして、中間プレート１７及び連結部１６に形成された操作スイッチ取付け穴２１を外筒１の開口部１４から露出させ、操作スイッチ１５を操作スイッチ取付け穴２１に取り付ける。以上の工程でスライド機構１３を組み立てることができる。
【００５７】
シャープペンシル３の他の部分の構造について簡単に説明する。図１に示されるように、先具２の先端部には芯４を案内する芯ホルダ２４が装着されており、芯タンク５の後端には消しゴム２５を保持する消しゴム受け台２６が装着される。この消しゴム受け台２６には、消しゴム２５を覆うキャップ２７が装着されている。消しゴム受け台２６には、芯タンク５内に連通する芯補給口２８が形成される。芯補給口２８は消しゴム２５により閉止されている。芯の補給時に消しゴム２５を取り外して、芯補給口２８から芯タンク５内に芯を補給する。外筒１の後端部近傍の側面にはクリップ２９が設けられる。
【００５８】
なお、ここで説明したシャープペンシルの他の部分の構造は特に限定されるものではなく、様々に変更することができる。例えば、芯タンク５と消しゴム受け台２６の縁を切り、操作スイッチ１５で芯タンク５をスライドさせる際、芯タンク５と一緒に消しゴム受け台２６がスライドしないような構造にしてもよい。この場合、消しゴム受け台２６をばねにより外筒１の後方に付勢することが行われる。また、シャープペンシル３を振ると重量体が芯タンク５に作用する構造を付加し、重量体と操作スイッチ１５の両方で芯タンク５をスライドできるようにしてもよい。
【００５９】
図７は、案内部材１８の他の例を示す。操作スイッチ１５が厚い場合、連結部１６を小さくする必要がある。連結部１６を小さくすると、連結部１６が案内部材１８の可撓部１８ｄの先端に接触できなくなる。このため、この例では可撓部１８ｄの内側に、連結部１６に接触できる円筒部１８ｇを設けている。円筒部１８ｇは本体部１８ｃと一体に形成さ
れても別体に形成されてもよい。
【００６０】
図８は、案内部材１８のさらに他の例を示す。この例では、案内部材１８の本体部１８ｃをシャープペンシルの先端側に配置し、可撓部１８ｄを後端側に配置している。このように反対に配置すると、例え連結部１６が小さくても、連結部１６を案内部材１８の本体部１８ｃに接触させることができる。
【００６１】
操作スイッチが厚い場合、中間プレート１７が案内部材１８の案内溝１８ａに乗ることを考えると、本体部１８ｃを小さくするか、本体部１８ｃをさらに削る必要がある。図９は、案内部材１８の本体部を小さくした例を示す。可撓部１８ｄの薄さを保って弾力性を確保するために、可撓部１８ｄの基部には段差が形成される。図１０は、本体部１８ｃをさらに削った例を示す。なおこの例では、可撓部１８ｄの下面側にも切り込みが入れられ、可撓部１８ｄの弾力性を確保している。
【００６２】
図１１は、案内部材１８のさらに他の例を示す。この例では可撓部１８ｄを設ける代わりに、本体部１８ｃの側面に爪片１８ｈを設けている。爪片１８ｈはその基部が本体部１８ｃに固定され、先端部が半径方向外側に折り曲げられている。
【００６３】
図１２は、図１１に示される案内部材１８を外筒１に挿入している状態を示す。外筒１には爪片１８ｈに対応する凹み１ａが形成される。案内部材１８を外筒１ａに挿入している間、爪片１８ｈは内側に弾性変形し、本体部に１８ｃに密着した状態になる。案内部材が外筒１に設けられた２〜３個のストッパに当接して案内部部材１８が停止すると、爪片１８ｈが凹み１ａ内でその先端部が外側に広がるように復元し、外筒１の凹み１ａに係合する。
【００６４】
図１３は、連結部及び中間プレートを一体にした例を示す。図１４に示されるうような操作スイッチ６１（この操作スイッチ６１の構造については後述する）を使用する場合、操作スイッチの取付台１２１を平らにする必要がある。一体型の連結部はこのような操作スイッチを取付けるのに好適に用いられる。また、一体型の連結部には、操作スイッチのフック６１ａが係合する係合孔１２２が形成されている。一体型の連結部から突出する突出部１２３が案内部材１８の案内溝１８ａに嵌り合う。
【００６５】
図１５は本発明のボールペンの実施形態を示す。外筒３１の先端には先具３２が取り付けられる。外筒３１内にはボールペンリフィール３３が収容される。このボールペンリフィール３３は、ボールペンリフィール３３に固定された円筒状のばね受け３４と先具３２との間に介装されたばね３５によって後方に付勢されている。ボールペンリフィール３３を外筒３１に対してボールペンリフィール３３の軸線方向にスライドさせることによって、外筒３１の先端に取り付けられる先具３２からボールペンリフィール３３の先端を出す。
【００６６】
外筒３１の先端部には、上記第１の実施形態のスライド機構１３と同様なスライド機構３６が設けられ、スライド機構３６の後方には従来から公知の回転カム機構が設けられる。まず公知の回転カム機構について、概略説明する。
【００６７】
回転カム機構は、カム本体３７と、図示しない回転カムと、図示しないカムバーとからなる公知の機構である。カム本体３７は、外筒１内に固定されており、その先端側には深いカム溝と浅い溝とが山を介して交互に形成されている。すなわちカム本体３７の前端は、鋸状のカム面となっている。回転カムは、カム本体３７のカム面への係止と、カム溝への挿入を交互に行うものである。回転カムには、ボールペンリフィール３３を受ける受面が形成されている。回転カムの後方にはカムバーが配され、カムバーの外面に形成された
複数の突部がカム本体３７の深いカム溝と浅い溝にそれぞれ挿入され、これにより回転カムを前方へ押し出すことが可能になる。
【００６８】
ボールペンリフィール３３が前進すると、ボールペンリフィール３３によって後方へ付勢されていた回転カムがカムバーによって前方へ押し出され、さらにカムバーと噛合する回転カムが所定角度回転して、カム本体３７のカム面に係止し、ボールペンリフィール３３が突出する状態に維持される。再度ボールペンリフィール３３を前進させると、カムバーが前進し回転カムを前方へ押し出し、回転カムが所定角度回転して、回転カムがカム本体３７のカム溝の中に挿入され、回転カム、カムバー及びボールペンリフィール３３がバネ３５の弾性力により後方へ移動し、ボールペンリフィール３３が引っ込む。
【００６９】
次に、ボールペンリフィール３３を軸線方向にスライドさせるスライド機構３６について説明する。この実施形態のスライド機構３６でも、上記実施形態のスライド機構１３と同様に、外筒３１の先端部に形成された開口部から露出する操作スイッチ１５を外筒１の軸線方向に移動させて、ボールペンリフィール３３を軸線方向にスライドさせる。操作スイッチ１５は、ボールペンリフィール３３に連結される連結部１６に固定される。ボールペンリフィール３３のスライド運動は、連結部１６の後側に配置され、外筒３１の内部に固定された案内部材１８で案内される。操作スイッチ１５、中間プレート１７、連結部１６、及び案内部材１８の構成は上記実施の形態と同様なので同一の符号を付してその説明を省略する。
【００７０】
この実施形態でも、ボールペンリフィール３３を軸線方向の前方にスライドさせるときは、操作スイッチ１５を押しながら前方に移動させる。このとき、操作スイッチ１５を押す力は、連結部１６を介してボールペンリフィール３３に伝わり、ボールペンリフィール３３から前側の先具２部分と後ろ側の案内部材１８とに分散される。このため、ボールペンリフィール３３を軸線方向にスライドさせる際の抵抗を小さくすることができ、軽い力でボールペンリフィール３３を軸線方向に移動させることができる。
【００７１】
図示しないが、外筒３１の後端には後端キャップが螺着され、クリップが設けられる。
【００７２】
図１６は本発明の筆記具の実施形態を示す。この実施形態の筆記具では、一方の芯と他方の芯とで芯の太さの違うものを使えるように一対のシャープペンシル４１を組み合わせている。一対のシャープペンシル４１は、一対のシャープペンシル４１の先具４３が、筆記具の両端に配置されるように、連結具４２で連結される。なお、一対のシャープペンシルを組合せる以外に、シャープペンシルとボールペンを組み合わせてもいいし、一対のボールペンを組み合わせてもいい。
【００７３】
各シャープペンシル４１の外筒４４の後端の周囲には、リング状の突部４５が形成され、連結具４２にはこの突部４５に嵌り合う凹溝が形成される。外筒４４の後端に連結具４２を嵌め込み、外筒４４の突部４５に連結具４２の凹溝を係合させる。
【００７４】
各シャープペンシル４１は上記第１の実施形態のシャープペンシル３と同様に、芯繰り出し機構１２と芯タンクスライド機構１３を有する。そして、芯タンク５を軸線方向にスライドさせて、外筒１の先端に取り付けられる先具４３から芯を繰り出す。各シャープペンシル４１は、上記第１の実施形態のシャープペンシル３と同様に、操作スイッチ１５、中間プレート１７、連結部１６、案内部材１８を有する。これらの構成は上記シャープペンシル３と同様なので同一の符号を付してその説明を省略する。
【００７５】
この実施形態では、一対のシャープペンシル４１の芯タンク５の先端部（具体的には案内部材１８で案内されている部分）を、互いの軸線が略一致するように配置している。ま
た、一対のシャープペンシル４１の芯タンク５同士を、筆記具の軸線方向の長さを短くできるように軸線方向に互いに重ね合わせている。ここで、一対の芯タンク５の先端部の軸線を一致させ、且つ芯タンク５の後方を重ね合わせているので、各芯タンク５はお互いをよけるように撓む。そして、芯タンク５の撓み量を確保できるように、芯タンク５の後端近傍の外筒４４を膨らませている。
【００７６】
外筒４４の前端部にも、筆記具を持ち易くするために、膨らみが形成される。この膨らみの先端の周囲には、キャップ４６を着脱できるようにリング状の突部４８が形成される。キャップ４６の内周には、キャップ４６を外筒４４の前端部に着脱できるように、突部４８に嵌り合う凹溝４９が形成される。
【００７７】
このキャップ４６は、外筒４４の後端部にも嵌り合うようになっていて、一本のシャープペンシル４１に分離したときに、分離したシャープペンシル４１の後端にも着脱可能になっている。またキャップ４６には、円筒状の消しゴム５０を収容する消しゴム収容部４６ａが設けられる。この消しゴム収容部４６ａは、キャップ４６の軸線に対して斜めにカットされている。これにより、消しゴム５０の先端側だけでなく根元まで使うことができる。
【００７８】
芯タンク５から芯が飛び出さないように、芯タンク５の後端にはキャップ５１が取り付けられる。芯タンク５に芯を挿入するときは、キャップ５１を取り外す。
【００７９】
図１７は操作スイッチ１５の開口部を示す。図中（Ａ）は正面図を示し、図中（Ｂ）は断面図を示す。操作スイッチ１５の開口窓は、外筒４４の後端側の膨らみ４４ａと前端側の膨らみ４４ｂとの間の凹んでいる部分に形成される。操作スイッチを押し易くするために、図中（Ｂ）に示されるように、開口部５３の後側には凹み４４ｂが形成される。また、先端側の膨らみ４４ｂに切り込みを入れた部分には、折り返し４４ｃをつけ見栄えをよくしている。
【００８０】
この実施形態によれば、筆記具の全長を短くすることができる。また外筒４４の一部が膨らんでいるで、持ち易い筆記具が得られる。また上述のスライド機構１３を用いると、案内部材１８から先具４３の先端まで（両側の芯タンク５の中心線を一致させている部分）の長さを短くすることができ、芯タンク５同士を軸線方向に重ね易くなる。
【００８１】
図１８は、外筒４４と、連結具４２又はキャップ４６との連結方法の他の例を示す。図中（Ａ）はユニオンナット５２を取り付けた連結具４２の先端部の断面図を示し、図中（Ｂ）はユニオンナット５２を取り付けた連結具４２の先端部の斜視図を示し、図中（Ｃ）はユニオンナット５２を取り外した連結具４２の先端部と外筒４４の先端部の斜視図を示す。連結具４２には、内周にねじが形成されたユニオンナット５２が回転可能に取り付けられる。また連結具４２の先端には、凹凸が形成され、外筒４４の先端には、連結具先端の凹凸に噛み合う凹凸が形成される。外筒４４の先端の凹凸と連結具４２の先端の凹凸とを噛み合わせた後、ユニオンナット５２を回転させ、ユニオンナット５２と外筒４４とをねじ接合する。このユニオンナット５２を用いると、連結具４２及び外筒４４の両方とも回すことなく、接合することができる。
【００８２】
図１９は、本発明の、形状が変化できる操作スイッチ６１の実施形態を示す。ケースとしての外筒１には、軸線方向に沿って細長い開口部１４が開けられる。操作スイッチ６１は、この開口部１４内に格納された状態と、開口部１４から突出した状態とに形状が変化する。図中（Ａ）は操作スイッチ６１が開口部１４から突出した突出状態を示し、図中（Ｂ）は操作スイッチ６１が開口部１４内に格納された格納状態を示す。
【００８３】
図中（Ａ）に示されるように、親指又は人差指で操作スイッチ６１を外筒に対して軸線方向にスライドさせると、後述する操作スイッチ６１のフックが切り欠き６２の位置まで移動し、フックと開口部１４の縁との係合が解除されて、操作スイッチ６１が格納状態から突出状態に変化する。操作スイッチ６１を押し易くするために、外筒１の開口部１４の後側には、凹み６３が形成される。
【００８４】
一方、図中（Ｂ）に示されるように、突出状態の操作スイッチ６１を親指又は人差指で押すと、操作スイッチ６１が沈み込み、フックと開口部１４の縁とが係合して操作スイッチ６１の形状が突出状態から格納状態に変化する。
【００８５】
芯を繰り出す芯繰り出し機構１２、芯タンク５を軸線方向にスライドさせるスライド機構１３の操作スイッチ６１以外の構造は、上記シャープペンシル３の実施形態と略同様である。操作スイッチ６１を外筒１の前方にスライドさせるときは、芯繰り出し機構１２のばね９のばね力に抗してスライドさせることになる（図１参照）。操作スイッチ６１を突出させた後、操作スイッチ６１から手を離すと、操作スイッチ６１は、ばね力によって外筒１の後方に付勢される。このとき操作スイッチ６１を押すと、操作スイッチ６１のフックが開口部１４の縁に係合する。
【００８６】
図２０は操作スイッチ６１の側面形状を示す。操作スイッチ６１は、板状の部材を折り曲げて形成され、ベース６５と、ベース６５に対して折り曲げられた第１の側面部６６と、第１の側面部６６に対して折り曲げられた第２の側面部６７と、第２の側面部６７に対して折り曲げられたスライド部６８とを備える。第１の側面部６６は、ベース６５側の一辺６６ａを軸としてベース６５に対して回転可能である。第２の側面部６７は、第１の側面部６６のベース側の一辺６６ａに対向する他の辺６６ｂを軸として、第１の側面部６６に対して回転可能である。スライド部６８はベース６５に対してスライド可能であり、このため第２の側面部６７は、そのベース６５側の一辺６７ａがベース６５に対してスライド可能になっている。なお、この実施形態では、操作スイッチ６１を操作し易くするために、第１の側面部６６の表面と第２の側面部６７の表面それぞれにゴム７７を貼っている。
【００８７】
操作スイッチ６１のフックと開口部１４の縁との係合が解除されると、図中（Ａ）に示されるように、ベース６５、第１の側面部６６及び第２の側面部６７によって形成される立体の側面形状が三角形状になる。この形状が操作スイッチ６１の元の形状である。操作スイッチ６１はこの形状を記憶している。図中（Ｂ）に示されるように、操作スイッチ６１を上方から押し、三角形状を徐々に潰し、フックと開口部１４の縁とを係合させると、第１の側面部６６と第２の側面部６７とが略一平面上に配置される。
【００８８】
図２１は操作スイッチ６１及び中間プレート１７を示し、図２２は操作スイッチの裏面側斜視図を示す。三角形状の操作スイッチ６１のベース６５の下面には、一対のフック片６９が設けられる。この一対のフック片６９を操作スイッチ取付け穴２１に係合させて、操作スイッチ６１を連結部１６及び中間プレート１７に固定する。上述のように、操作スイッチ６１は平らな形状から三角形状に形状が変化する。操作スイッチのベース６５は平らに形成される。一方、中間プレート１７は湾曲した形状に形成される。平らなベース６５を湾曲した形状の中間プレート１７に取り付けるため、図２２に示されるように、ベース６５の下面のフック片６９の両側に、中間プレート１７に合わせて湾曲させた脚部７０を設けている。
【００８９】
図２３は突出した状態の操作スイッチ６１を示す。突出した状態の操作スイッチを前方に押し易くするため、第２の側面部６７は三角形の内側に向かって凸になるように湾曲される。また第１の側面部６６の幅方向の両端には、開口部１４の縁に係合するフック７１
が設けられる。
【００９０】
図２４は、操作スイッチ６１のフック７１と開口部１４の縁が係合した状態を示す。図中（Ｂ）に示される操作スイッチ６１を上方から押すと、図中（Ａ）に示されるように、操作スイッチ６１のフック７１が開口部１４の縁に係合する。これにより操作スイッチ６１が格納された状態になる。
【００９１】
図２５は、操作スイッチ６１のフック７１と開口部１４の縁との係合が解除された状態を示す。図中（Ｂ）に示されるように、外筒１の開口部１４の縁には一対の切り欠き７９が形成される。格納された操作スイッチ６１を外筒１の前方にスライドさせ、フック７１が切り欠き７９まで移動すると、図中（Ａ）に示されるように、フック７１と開口部１４の縁との係合が解除される。そして、操作スイッチ６１は元の形状の三角形状に復元する。
【００９２】
図２６は操作スイッチ６１の詳細な斜視図を示す。ベース６５の幅方向の両端部は案内溝６５ａを形成するように折り曲げられている。スライド部６８は、この案内溝６５ａに案内されてベース６５に対してスライドする。スライド部６８をベース６５の案内溝６５ａに挿入できるように、第２の側面部６７とスライド部６８との連結部分はその幅方向の両端部７４がくびれていて、またスライド部６８の横幅は第２の側面部６７の横幅よりも狭くなっている。
【００９３】
図２７は操作スイッチ６１を示す。図中（Ａ）は側面形状を示し、図中（Ｂ）は断面形状を示す。第１の側面部６６の幅方向の両端にはフック７１が形成される。ベース６５にはスライド部６８が収納されている。
【００９４】
図２８も操作スイッチ６１を示す。図中（Ａ）は操作スイッチ６１のフック７１と開口部１４の縁とが係合している状態を示し、図中（Ｂ）はフック７１が開口部１４の縁から外れ、操作スイッチ６１が浮き始めている状態を示し、図中（Ｃ）は操作スイッチ６１のベース６５の平面図を示す。図中（Ａ）に示されるように、操作スイッチ６１を折りたたむと、第１の側面部６６に設けたフック７１とベース６５の両端部とが干渉する。フック７１とベース６５とが干渉しないように、ベース６５の両端部の一部７５が削られる。
【００９５】
図２９ないし図３４は、中間プレート１７と操作スイッチ６１との関係を示す。図２９は中間プレート１７と操作スイッチ６１の斜視図を示し、図３０（Ａ）は中間プレート１７に取り付けられた操作スイッチ６１の側面図を示し、図３０（Ｂ）は中間プレート１７に取り付けられた操作スイッチ６１の断面図を示す。図３１及び図３２は、外筒１に組み込まれた中間プレート１７及び操作スイッチ６１を示す。図３２中（Ａ）は断面図を示し、（Ｂ）は平面図を示す。図３３は外筒１に組み込まれた案内部材１８と中間プレート１７の断面図を示し、図３４は案内部材１８の斜視図を示す。
【００９６】
図３０の断面図に示されるように、操作スイッチ６１の横幅は中間プレート１７の横幅よりも小さい。また、図３１及び図３２に示されるように、開口部１４の後端部には凹み６３が形成される。この凹み６３は最初に操作スイッチ６１を動かすために必要である。凹み６３に指が落ち込むように入り、第２の側面部を容易に押せるようなる。外筒１と中間プレート１７との間の隙間を小さくするために、凹み６３が形成された部分の中間プレート１７の厚みを薄くし、開口部１４の前側の凹み６３が形成されていない部分の中間プレートの厚みを厚くしている。また、操作スイッチ６１がスライドする分、第１の側面部６６と開口部１４の前端との間には隙間Ｗが空けられる。
【００９７】
図３３及び図３４に示されるように、案内部材１８には案内溝１８ａが形成され、この
案内溝１８ａに中間プレート１７が嵌る。この案内溝１８ａの底面と中間プレート１７との間に摩擦が生じないように、中間プレート１７にはプラスチックの軟らかいものやセルロイドが用いられるのが望ましい。ただし、操作スイッチ６１が嵌まる操作スイッチ取り付け穴２１の強度は上げる必要がある。
【００９８】
図３５は操作スイッチの他の実施形態を示す。図中（Ａ）は操作スイッチ６１の斜視図を示し、図中（Ｂ）は操作スイッチ６１に被せられる弾性キャップ７２の表面側斜視図を示し、図中（Ｃ）は弾性キャップ７２の裏面側斜視図を示す。操作スイッチ６１の構造は上記実施形態の操作スイッチと略同様なので、同一の符号を付してその説明を省略する。この実施形態では、操作スイッチ６１にゴム製の弾性キャップ７２を被せ、弾性キャップ７２の復元力で操作スイッチ６１を三角形状にする。操作スイッチ６１自体は必ずしも自身の復元力によって三角形状に戻る必要はない。
【００９９】
図中（Ｂ）及び（Ｃ）に示されるように、弾性キャップ７２は、第１の側面部６６の外側に密着する第１の覆い部７３と、第２の側面部６７の外側に密着する第２の覆い部７４と、第１の覆い部７３の幅方向の一端の辺７３ａと第２の覆い部７４の幅方向の一端の辺７４ａとを連結する第１の連結部７５と、第１の覆い部７３の幅方向の他端７３ｂの辺と第２の覆い部７４の幅方向の他端の辺７４ｂとを連結する第２の連結部７６と、を有する。弾性キャップ７２は、操作スイッチ６１のフック７１と開口部１４の縁が係合したとき、弾性変形して、第１の側面部６６と第２の側面部６７とが略一平面上に配置されるのを許容する。一方、フック７１と開口部１４の縁の係合が解除されたとき、復元して、ベース６５、第１の側面部６６及び第２の側面部６７によって形成される立体の側面形状を三角形状にする。
【０１００】
図３６ないし図３８は、操作スイッチのさらに他の実施形態を示す。図３６中（Ａ）は操作スイッチ８１の斜視図を示し、図３６中（Ｂ）は弾性キャップ９１の表面側斜視図を示し、図中（Ｃ）は弾性キャップ９１の裏面側斜視図を示す。この実施形態の操作スイッチ８１では、第１及び第２の側面部８３，８４の幅方向の一端の辺８３ａ，８４ａ及び他端の辺８３ｂ，８４ｂには、第１及び第２の側面部８３，８４がベース８２側の一辺８３ｃ，８４ｃからこのベース８２側の一辺８３ｃ，８４ｃに対向する他の辺８３ｄ，８４ｄに向かって幅が狭くなるように、段差８６が形成される。すなわち第１及び第２の側面部８３，８４の真中よりも上側ａ−１及びｂ−１を下側ａ−２及びｂ−２よりも少し細くしている。これに伴い、弾性キャップ９１の第１及び第２の連結部９２にも、操作スイッチの第１及び第２の側面部８３，８４の幅方向の一端の辺８３ａ，８４ａ及び他端の辺８３ｂ，８４ｂの段差８６に対応する連結部段差９３が形成される。
【０１０１】
図３７は弾性キャップ９１が被せられた操作スイッチ８１の側面形状を示す。弾性キャップ９１が被せられた操作スイッチ８１の側面形状は三角形状に形成されるが、その高さ方向の中央には連結部段差９３が形成される。
【０１０２】
図３８は、弾性キャップ９１が被せられた操作スイッチ８１の形状の変化を示す。図中（Ａ）に示される操作スイッチ９１を上方から押すと、図中（Ｂ）に示されるように、上段部の三角形９４は、鈍角三角形になると共に、連結部段差９３が折り返されて下段の台形９５の中に埋もれていく。図中（Ｃ）に示されるように、操作スイッチ８１をさらに潰すと、連結部段差９３の折り返しが深くなると共に上段部の三角形９４の部分は平らになる。そして、側面からみて平らになった上段部の三角形９４は連結部段差９３の折り返しの中に完全に埋もれる。このように連結部段差９３を設けると、操作スイッチ８１を押し潰したときに弾性キャップ９１がだぶつくことがない。
【０１０３】
図３９ないし図４１は操作スイッチの更に他の実施形態を示す。図３９では、弾性キャ
ップ９１を取り外した状態の操作スイッチ１０１を示す。この実施形態では、弾性キャップ９１を被せても操作スイッチ１０１をスムーズにスライドするために（摩擦係数の大きい弾性キャップが開口部１４の縁に接触して摩擦抵抗が大きくならないようにするために）、ベース１０２の外側に縁１０５を設けている。ただし、操作スイッチ１０１を折畳んだとき、第１の側面部１０３に設けたフック１０６が縁１０５に干渉しないように、縁１０５には切り込み１０５ａが設けられる。また、操作スイッチ１０１をスライドする際、指で第２の側面部に触れ易くするために、縁１０５に切り込み１０５ｂを入れている。
【０１０４】
図４０は操作スイッチ１０１のフック１０６の詳細図を示す。操作スイッチ１０１には弾性キャップ９１が被せられるので、図中（Ａ）に示されるようにフック１０６を外側に突出させている。図中（Ｂ）に示されるように、弾性キャップ９１を被せたとき、フック１０６には、弾性キャップ９１の外側に突出する第１の突出面１０７が形成され、第１の突出面１０７の外側にフック先端１０８が形成される。第１の突出面１０７は、ベース１０２に形成した縁１０５の外側と略同じ位置までとび出ている。
【０１０５】
図４１は操作スイッチ１０１と外筒１の開口部１４との位置関係を示す。図中（Ａ）は平面図を示し、図中（Ｂ）は断面図を示す。操作スイッチ１０１を上から押すと、フック先端１０８が開口部１４の縁に引っ掛かる。操作スイッチ１０１を前方にスライドさせると、開口部１４の縁の切り欠き７９からフックが外れ、操作スイッチ１０１が突出する。
【０１０６】
図４２は、上記の操作スイッチ１０１の突出した状態（図中（Ａ））と格納した状態（図中（Ｂ））を示す。図中（Ａ）の上段には斜視図が示され、中段には正面図が示され、下段には側面図が示されている。
【０１０７】
図４３は、第１及び第２の側面部に三段の段差を付けた操作スイッチを１１１示す。図中（Ａ）は操作スイッチ１１１の突出した状態を示し、図中（Ｂ）は操作スイッチ１１１の格納した状態を示す。図中(1)の部分の内側に(2)の部分が折り返され、(2)の部分の内側に(3)の部分が折り返されている。この例に示されるように、操作スイッチ１１１の弾性キャップには三段の段差を付けてもいい。
【０１０８】
図４４ないし図４６は、操作スイッチ１１５のさらに他の実施形態を示す。図４４は操作スイッチ１１５の第１及び第２の側面部１１７，１１８の斜視図を示し、図４５は操作スイッチ１１５のベース１１６の底面図を示し、図４６は操作スイッチ１１５の側面図を示す。この実施形態では操作スイッチ１１５に板状のスライド部が設けられることがなく、その代わりに第２の側面部１１８に嵌め込まれた嵌め込み部材１１９によって、第２の側面部１１８がベース１１６に対してスライドする。
【０１０９】
図４４（Ａ）及び（Ｂ）に示されるように、操作スイッチ１１５の第２の側面部１１８の先端には、丸く膨らませた膨出部１１８ａが形成され、この膨出部１１８ａに図中（Ｃ）で示される嵌め込み部材１１９が嵌め込まれる。嵌め込み部材１１９には、丸棒部１２０が形成される。
【０１１０】
図４５に示されるように、ベース１１６にはスリット１１６ａが形成される。スリット１１６ａによってベース１１６の底面に設けた脚部１２１ａが分断されてしまうので、脚部１２１ａもスリット１１６ａの両側に２個設けると共に、スリット１１６ａに沿った長いものとする。
【０１１１】
嵌め込み部材１１９をスリット１１６ａに通した後、嵌め込み部材１１９を第２の側面部１１８の先端に嵌め込む。具体的には、丸棒部１２０をベース１１６に形成されたスリット１１６ａと平行にして、スリット１１６ａを通した後、スリット１１６ａに対して垂
直にする。この状態で、はめ込み部材１１９を第２の側面部１１８の膨出部１１８ａに嵌め込む。全体を組み立てた図４６に示されるように、板状のスライド部を設けなくても、嵌め込み部材１１９を使用すると、第２の側面部１１８をベース１１６に対してスライドできるのがわかる。
【０１１２】
図４７は、操作スイッチのさらに他の実施形態を示す。この操作スイッチ１３１には、格納した状態を薄くするための工夫がなされている。操作スイッチ１３１の第２の側面部１３３のベース１３２側の先端には、外筒１の開口部１４の縁に係合する出っ張り１３３ａが設けられる。この出っ張り１３３ａが外筒１に対してスライドする。図４８は、突出した状態及び格納した状態の操作スイッチ１３１を示す。操作スイッチ１３１には必要に応じて弾性キャップ１３５が被せられる。
【０１１３】
図４９は、操作スイッチ１３１の詳細図を示す。図中（Ａ）に示されるように、ベース１３２が一部切れていて、切れた部分の先端に第２の側面部１３３が当接するようにしてもよい。また図中（Ｂ）に示されるように、ベース１３２に溝１３２ａを形成し、この溝１３２ａ内に第２の側面部１３３の下端突起１３３ｂが嵌まるようにしてもよい。この場合、溝１３２ａの底１３２ｂがストッパとなる。さらに図中（Ｃ）に示されるように、ベース１３３ａの両側に柵１３５を設け、この柵１３５に溝１３６を形成し、第２の側面部１３３の出っ張り１３３ａがこの溝１３６内をスライドするようにしてもよい。
【０１１４】
図５０は、操作スイッチのさらに他の実施形態を示す。この操作スイッチ１４１にも、格納した状態を薄くするための工夫がなされている。この実施形態では、第１の側面部１４３から第２の側面部１４４にわたって、溝１４５が形成される。溝１４５内には弾性部材として細長いゴム１４６が張られる。ゴム１４６の一端は第１の側面部１４３に結合され、他端は第２の側面部１４４に結合される。畳まれたときに、ゴム１４６が溝１４５内に収容されるので、操作スイッチ１４１の厚みが増えない。ゴム１４６を隠して見栄えを良くするために、操作スイッチ１４１を化粧部材１４７で覆ってもよい。
【０１１５】
図５１は、操作スイッチのフックの他の例を示す。フック１７を外筒１の開口部１４の縁に軽く係合させるために、フック１７の周囲に切れ目を入れて、フック１７が撓み易くしてもよい。
【０１１６】
なお上記実施形態では、操作スイッチをシャープペンシルに適用した例について説明したが、本発明はシャープペンシルの操作スイッチに限られることなく、ボールペンの操作スイッチ、あるいは、ケースに開けられた開口部内に格納された格納状態と、開口部から突出した突出状態とに形状が変化できる様々な操作スイッチに適用することができる。
【図面の簡単な説明】
【０１１７】
【図１】本発明の実施形態におけるシャープペンシルを示す断面図。
【図２】外筒の内部に組み込まれたスライド機構の斜視図。
【図３】スライド機構の分解斜視図。
【図４】中間プレートの斜視図。
【図５】操作スイッチの斜視図。
【図６】スライド機構の組み立て方法を示す図。
【図７】案内部材の他の例を示す図。
【図８】案内部材のさらに他の例を示す図。
【図９】案内部材のさらに他の例を示す図。
【図１０】案内部材のさらに他の例を示す図。
【図１１】案内部材のさらに他の例を示す図。
【図１２】外筒に組み込んだ案内部材（図１１に示される例の案内部材）を示す図。
【図１３】連結部及び中間プレートを一体にした例を示す図。
【図１４】図１３に示される一体型の連結部に操作スイッチを取付けた状態を示す図。
【図１５】本発明の実施形態におけるボールペンを示す断面図。
【図１６】本発明の筆記具の実施形態を示す断面図。
【図１７】操作スイッチの開口部を示す図（図中（Ａ）は正面図を示し、図中（Ｂ）は断面図を示す）。
【図１８】外筒と、連結具又はキャップとの連結方法の他の例を示す図（図中（Ａ）はユニオンナットを取り付けた連結具の先端部の断面図を示し、図中（Ｂ）はユニオンナットを取り付けた連結具の先端部の斜視図を示し、図中（Ｃ）はユニオンナットを取り外した連結具の先端部と外筒の先端部の斜視図を示す）。
【図１９】本発明の、形状が変化できる操作スイッチの実施形態を示す斜視図（図中（Ａ）は操作スイッチが開口部から突出した突出状態を示し、図中（Ｂ）は操作スイッチが開口部内に格納された格納状態を示す）。
【図２０】操作スイッチの側面形状を示す図（図中（Ａ）は操作スイッチが開口部から突出した突出状態を示し、図中（Ｂ）は操作スイッチが開口部内に格納された格納状態を示す）。
【図２１】操作スイッチ及び中間プレートを示す斜視図。
【図２２】操作スイッチの裏面側斜視図。
【図２３】突出した状態の操作スイッチを示す図。
【図２４】操作スイッチのフックと開口部との関係を示す図（図中（Ａ）はフックと開口部の縁が係合した状態の断面図を示し、図中（Ｂ）は操作スイッチを押している状態の斜視図を示す）。
【図２５】操作スイッチのフックと開口部との関係を示す図（図中（Ａ）は操作スイッチのフックと開口部の縁との係合が解除された状態の斜視図を示し、（Ｂ）は開口部の平面図を示す）。
【図２６】操作スイッチの詳細な斜視図。
【図２７】操作スイッチを示す図（図中（Ａ）は側面形状を示し、図中（Ｂ）は断面形状を示す）。
【図２８】操作スイッチを示す図（図中（Ａ）は操作スイッチのフックと開口部の縁とが係合している状態を示し、図中（Ｂ）はフックが開口部の縁から外れ、操作スイッチが浮き始めている状態を示し、図中（Ｃ）は操作スイッチのベースの平面図を示す）。
【図２９】中間プレートと操作スイッチの斜視図。
【図３０】中間プレートと操作スイッチを示す図（図中（Ａ）は中間プレートに取り付けられた操作スイッチの側面図を示し、図２２（Ｂ）は中間プレートに取り付けられた操作スイッチの断面図を示す）。
【図３１】外筒に組み込まれた中間プレート及び操作スイッチを示す図。
【図３２】外筒に組み込まれた中間プレート及び操作スイッチを示す（図中（Ａ）は断面図を示し、図中（Ｂ）は平面図を示す）。
【図３３】外筒に組み込まれた案内部材と中間プレートの断面図。
【図３４】案内部材の斜視図。
【図３５】操作スイッチの他の実施形態を示す図（図中（Ａ）は操作スイッチの斜視図を示し、図中（Ｂ）は操作スイッチに被せられる弾性キャップの表面側斜視図を示し、図中（Ｃ）は弾性キャップの裏面側斜視図を示す）
【図３６】操作スイッチのさらに他の実施形態を示す図（図中（Ａ）は操作スイッチの斜視図を示し、図中（Ｂ）は弾性キャップの表面側斜視図を示し、図中（Ｃ）は弾性キャップの裏面側斜視図を示す）。
【図３７】弾性キャップが被せられた操作スイッチの側面形状を示す図。
【図３８】弾性キャップが被せられた操作スイッチの形状の変化を示す図。
【図３９】操作スイッチの更に他の実施形態を示す図（弾性キャップを取り外した状態の操作スイッチを示す斜視図）。
【図４０】操作スイッチのフックの詳細図（図中（Ａ）は弾性キャップを取り外した状態を示し、図中（Ｂ）は弾性キャップを取り付けた状態を示す）。
【図４１】操作スイッチと外筒の開口部との位置関係を示す図（図中（Ａ）は平面図を示し、図中（Ｂ）は断面図を示す）。
【図４２】操作スイッチの突出した状態（図中（Ａ））と格納した状態（図中（Ｂ））を示す図。
【図４３】第１及び第２の側面部に三段の段差を付けた操作スイッチを示す図（図中（Ａ）は操作スイッチの突出した状態を示し、図中（Ｂ）は操作スイッチの格納した状態を示す）。
【図４４】操作スイッチのさらに他の実施形態を示す図（操作スイッチの第１及び第２の側面部の斜視図を示す）。
【図４５】操作スイッチのベースの底面図。
【図４６】操作スイッチの側面図。
【図４７】操作スイッチのさらに他の実施形態を示す図。
【図４８】操作スイッチのさらに他の実施形態を示す図。
【図４９】操作スイッチのさらに他の実施形態を示す図。
【図５０】操作スイッチのさらに他の実施形態を示す図。
【図５１】操作スイッチのさらに他の実施形態を示す図。
【符号の説明】
【０１１８】
１…外筒（ケース）
２…先具
３…シャープペンシル
５…芯タンク
６…チャック
１４…開口部
１５…操作スイッチ（操作部）
１５ｂ…フック片
１６…連結部
１７…中間プレート（被案内部）
１８…案内部材
１８ａ…案内溝（案内部）
１８ｂ…貫通穴
１８ｃ…本体部
１８ｄ…可撓部
１８ｅ…切り欠き（案内部）
１９…係合凸部
２０…芯タンク移動部材
２１…操作スイッチ取付け穴
３１…を外筒
３２…先具
３３…ボールペンリフィール
４１…シャープペンシル
４２…連結具
４３…先具
４４…外筒
６１，８１，１０１，１３１，１４１…操作スイッチ
６２，７９…切り欠き
６５…ベース
６６…第１の側面部
６６ａ…ベース側の一辺
６６ｂ…他の辺
６７…第２の側面部
６７ａ…ベース側の一辺
７１，１０６…フック
７２，９１…弾性キャップ
７３…第１の覆い部
７３ａ…第１の覆い部の幅方向の一端の辺
７３ｂ…第１の覆い部の幅方向の他端の辺
７４…第２の覆い部
７４ａ…第２の覆い部の幅方向の一端の辺
７４ｂ…第２の覆い部の幅方向の他端の辺
７５…第１の連結部
７６…第２の連結部
８２…第１及び第２の連結部
８３，８４…第１及び第２の側面部
８３ａ，８４ａ…第１及び第２の側面部の幅方向の一端の辺
８３ｂ，８４ｂ…第１及び第２の側面部の幅方向の他端の辺
８３ｃ…ベース側の一辺
８３ｄ，８４ｄ…ベース側の一辺に対向する他の辺
８６…段差
９３…連結部段差
１４６…ゴム（弾性部材）
【図１】
2006021518.tif 000003
【図２】
2006021518.tif 000004
【図３】
2006021518.tif 000005
【図４】
2006021518.tif 000006
【図５】
2006021518.tif 000007
【図６】
2006021518.tif 000008
【図７】
2006021518.tif 000009
【図８】
2006021518.tif 000010
【図９】
2006021518.tif 000011
【図１０】
2006021518.tif 000012
【図１１】
2006021518.tif 000013
【図１２】
2006021518.tif 000014
【図１３】
2006021518.tif 000015
【図１４】
2006021518.tif 000016
【図１５】
2006021518.tif 000017
【図１６】
2006021518.tif 000018
【図１７】
2006021518.tif 000019
【図１８】
2006021518.tif 000020
【図１９】
2006021518.tif 000021
【図２０】
2006021518.tif 000022
【図２１】
2006021518.tif 000023
【図２２】
2006021518.tif 000024
【図２３】
2006021518.tif 000025
【図２４】
2006021518.tif 000026
【図２５】
2006021518.tif 000027
【図２６】
2006021518.tif 000028
【図２７】
2006021518.tif 000029
【図２８】
2006021518.tif 000030
【図２９】
2006021518.tif 000031
【図３０】
2006021518.tif 000032
【図３１】
2006021518.tif 000033
【図３２】
2006021518.tif 000034
【図３３】
2006021518.tif 000035
【図３４】
2006021518.tif 000036
【図３５】
2006021518.tif 000037
【図３６】
2006021518.tif 000038
【図３７】
2006021518.tif 000039
【図３８】
2006021518.tif 000040
【図３９】
2006021518.tif 000041
【図４０】
2006021518.tif 000042
【図４１】
2006021518.tif 000043
【図４２】
2006021518.tif 000044
【図４３】
2006021518.tif 000045
【図４４】
2006021518.tif 000046
【図４５】
2006021518.tif 000047
【図４６】
2006021518.tif 000048
【図４７】
2006021518.tif 000049
【図４８】
2006021518.tif 000050
【図４９】
2006021518.tif 000051
【図５０】
2006021518.tif 000052
【図５１】
2006021518.tif 000053